(57)【要約】【課題】  様々な一般入札情報を早く，広く，詳細に収集し、一般入札情報自身の付加価値を高めるとともに、サービス利用者に対して希望する情報を的確に提供する。【解決手段】  システムサーバＭＳにより一次データＤａ…を自動及び／又は手動でダウンロードし、記憶部２にデータベースＤＢとして保存する一次データ収集機能部Ｆｔと、システムサーバＭＳにより一次データＤａ…に基づく二次データＫ…を生成し、記憶部２にデータベースＤＢとして保存する二次データ生成機能部Ｆｋと、サービス利用者によりクライアントコンピュータＣ１…に対して所定の検索条件が入力されたなら、システムサーバＭＳにより当該検索条件に合致した一次データＤａ…及び／又は二次データＫ…をデータベースＤＢから読み出す検索処理機能部Ｆｓと、を少なくとも備える。【選択図】  図１
2013012030.tif 000002
【特許請求の範囲】
【請求項１】
インターネットに接続し、発注者のコンピュータ機能を有する配信サーバによりインターネット上に公開される入札に係わる情報（一次データ）を収集することにより所定の記憶部にデータベースとして保存し、かつインターネットに接続されたサービス利用者のクライアントコンピュータからアクセスされることにより当該クライアントコンピュータに対して少なくとも前記一次データの少なくとも一部を提供するコンピュータ機能を有するシステムサーバを用いた入札情報サービスシステムであって、前記システムサーバにより前記一次データを自動及び／又は手動でダウンロードし、前記記憶部にデータベースとして保存する一次データ収集機能部と、前記システムサーバにより前記一次データに基づく二次データを生成し、前記記憶部にデータベースとして保存する二次データ生成機能部と、サービス利用者により前記クライアントコンピュータに対して所定の検索条件が入力されたなら、前記システムサーバにより当該検索条件に合致した前記一次データ及び／又は前記二次データを前記データベースから読み出す検索処理機能部と、前記システムサーバにより読み出した前記一次データ及び／又は前記二次データを、前記クライアントコンピュータのディスプレイに表示するとともに、前記クライアントコンピュータから出力可能にする出力処理機能部と、を少なくとも備えてなることを特徴とする入札情報サービスシステム。
【請求項２】
前記一次データは、入札が予定されている入札予定情報に係わる入札予定データと、入札の結果となる入札結果情報に係わる入札結果データと、を含むことを特徴とする請求項１記載の入札情報サービスシステム。
【請求項３】
前記二次データ生成機能部は、二次データとして、前記一次データにおける前記入札結果データから最終的な落札者を、予め既知となる対応する落札条件に基づいて予測した結果となる予測データを生成する予測データ生成機能を備えることを特徴とする請求項１又は２記載の入札情報サービスシステム。
【請求項４】
前記検索処理機能部は、予めサービス利用者により設定した一又は二以上の検索条件を登録する検索条件登録機能を備えることを特徴とする請求項１，２又は３記載の入札情報サービスシステム。
【請求項５】
前記検索処理機能部は、一つの検索項目に対して複数条件を設定可能な複数選択機能を備えることを特徴とする請求項１〜４のいずれかに記載の入札情報サービスシステム。
【請求項６】
前記検索処理機能部は、少なくとも、入力又は選択したフリーワードを包含する前記一次データ及び／又は前記二次データを読み出すフリーワード検索機能を含むことを特徴とする請求項１〜５のいずれかに記載の入札情報サービスシステム。
【請求項７】
前記フリーワード検索機能は、少なくとも、ＰＤＦにより作成されたファイルの内容も検索対象とするＰＤＦ内検索機能を備えることを特徴とする請求項６記載の入札情報サービスシステム。
【請求項８】
前記フリーワード検索機能は、前記フリーワードにより検索した検索結果に対して前記フリーキーワードに関連付けて広告表示を行う広告表示機能を備えることを特徴とする請求項７記載の入札情報サービスシステム。
【請求項９】
前記出力処理機能部は、前記一次データ及び／又は前記二次データをＣＳＶフォーマットにより保存する保存処理機能を備えることを特徴とする請求項１〜８のいずれかに記載の入札情報サービスシステム。
【発明の詳細な説明】
【技術分野】
【０００１】
本発明は、インターネットを介して公共事業等の入札に係わる情報を提供する入札情報サービスシステムに関する。
【背景技術】
【０００２】
従来、公共事業等の入札に係わる情報をインターネットを介して入札予定者等のサービス利用者に提供するようにした入札情報サービスシステムとしては、特許文献１で開示される入落札情報提供システム及び特許文献２で開示される入札支援システムが知られている。
【０００３】
同文献１で開示される入落札情報提供システムは、複数の端末機器を通信回線により相互に接続して構築されるネットワークを介して、企業会員が、公的機関の発注に係る入札予報情報、落札結果情報、入札にに参加する建設業許可業者の企業情報を検索・閲覧できる入落札情報提供システムであって、入落札情報に加えて、入札に参加する建設業許可業者を除く他の建設業許可業者の企業情報と、民間建築に係る建築着工情報や建築計画情報及び建築確認申請情報と、公的機関の発注に係る入落札、及び、建設業に関する新聞記事情報と、建設関連資料情報とが検索・閲覧できるように構成し、企業会員の必要とされる入落札情報を提供するようにしたものであり、また、特許文献２で開示される入札支援システムは、入札情報配信サーバと入札管理システムとを備え、入札情報配信サーバが抽出情報と入札公告書ファイルとを含む入札情報を記憶する入札情報記憶手段を備え、入札管理システムが、マッチング先情報を記憶するマッチング先情報記憶手段と、入札情報配信サーバから入札情報をダウンロードする入札情報ダウンロード手段と、抽出情報に含まれるマッチング元情報をマッチング先情報と照合することにより、マッチング先情報に適合した抽出情報を検索するマッチング手段と、マッチング先情報に適合した抽出情報中の入札対象識別情報を優先的に表示する入札対象識別情報表示手段と、表示された入札対象識別情報の抽出元の発注情報に含まれる入札公告書を、入札公告書ファイルに基づいて表示するようにしたものである。
【先行技術文献】
【特許文献】
【０００４】
【特許文献１】特開２００５−３４６５２９号公報
【特許文献２】特開２０１０−０４９４８７号公報
【発明の概要】
【発明が解決しようとする課題】
【０００５】
しかし、上述した従来の入札情報サービスシステム（入落札情報提供システム及び入札支援システム）は、次のような問題点があった。
【０００６】
第一に、一般入札を対象とする入札情報サービスシステムでは、一般入札の対象となる入札情報を、如何に早く，広く，詳細に収集できるかが重要なポイントとなり、この種の入札情報サービスシステムに要求される最も重要な能力の一つとなるが、従来の入札情報サービスシステムでは、入札情報以外の情報を付加したり或いは入札情報の取扱いを主たる目的としていたため、一般入札情報を早く，広く，詳細に収集するとともに、これに基づいて一般入札情報自身の付加価値を高める観点からは、必ずしも十分とは言えない難点があった。
【０００７】
第二に、サービス利用者が入札情報サービスシステムを利用する場合、少なくとも二つの利用目的、即ち、入札予定者が、入札を行う前に必要な情報を得る目的で利用する場合と、入札予定者以外の者が、誰がどのような条件で入札したかの入札結果（落札結果）を知る目的で利用する場合の二つの側面があるが、従来の入札情報サービスシステムでは、サービス利用者に対して、希望する情報を的確に提供する観点からも十分であるとは言えず、この観点からも更なる改善の余地があった。
【０００８】
本発明は、このような背景技術に存在する課題を解決した入札情報サービスシステムの提供を目的とするものである。
【課題を解決するための手段】
【０００９】
本発明は、上述した課題を解決するため、インターネットＮに接続し、発注者のコンピュータ機能を有する情報配信サーバＭａ，Ｍｂ，Ｍｃ…によりインターネットＮ上に公開される入札に係わる情報（一次データＤａ，Ｄｂ，Ｄｃ…）を収集することにより所定の記憶部２にデータベースＤＢとして保存し、かつインターネットＮに接続されたサービス利用者のクライアントコンピュータＣ１，Ｃ２，Ｃ３…からアクセスされることにより当該クライアントコンピュータＣ１，Ｃ２…に対して少なくとも一次データＤａ，Ｄｂ…の少なくとも一部を提供するコンピュータ機能を有するシステムサーバＭＳを用いた入札情報サービスシステム１を構成するに際して、システムサーバＭＳにより一次データＤａ，Ｄｂ…を自動及び／又は手動でダウンロードし、記憶部２にデータベースＤＢとして保存する一次データ収集機能部Ｆｔと、システムサーバＭＳにより一次データＤａ，Ｄｂ…に基づく二次データＫ…を生成し、記憶部２にデータベースＤＢとして保存する二次データ生成機能部Ｆｋと、サービス利用者によりクライアントコンピュータＣ１，Ｃ２…に対して所定の検索条件が入力されたなら、システムサーバＭＳにより当該検索条件に合致した一次データＤａ，Ｄｂ…及び／又は二次データＫ…をデータベースＤＢから読み出す検索処理機能部Ｆｓと、システムサーバＭＳにより読み出した一次データＤａ，Ｄｂ…及び／又は二次データＫ…を、クライアントコンピュータＣ１，Ｃ２…のディスプレイＣｄ１，Ｃｄ２…に表示するとともに、クライアントコンピュータＣ１，Ｃ２…から出力可能な出力処理機能部Ｆｅと、を少なくとも備えてなることを特徴とする。
【００１０】
この場合、発明の好適な態様により、一次データＤａ…には、入札が予定されている入札予定情報に係わる入札予定データと、入札の結果となる入札結果情報に係わる入札結果データと、を含ませることができる。また、二次データ生成機能部Ｆｋには、二次データＫ…として、一次データＤａ…における入札結果データから最終的な落札者を、予め既知となる対応する落札条件に基づいて予測した結果となる予測データＫｆ…を生成する予測データ生成機能Ｆｋｓを設けることができる。一方、検索処理機能部Ｆｓには、予めサービス利用者により設定した一又は二以上の検索条件を登録する検索条件登録機能Ｆｓｍ，一つの検索項目に対して複数条件を設定可能な複数選択機能Ｆｓｘ，少なくとも、入力又は選択したフリーワードを包含する一次データＤａ…及び／又は二次データＫ…を読み出すフリーワード検索機能Ｆｓｋを設けることができる。なお、フリーワード検索機能Ｆｓｋには、少なくとも、ＰＤＦにより作成されたファイルの内容も検索対象とするＰＤＦ内検索機能Ｆｓｋｐを設けることができるとともに、フリーワードにより検索した検索結果に対してフリーキーワードに関連付けて広告表示を行う広告表示機能Ｆｓｋｉを設けることができる。他方、出力処理機能部Ｆｅには、一次データ及び／又は二次データをＣＳＶフォーマットにより保存する保存処理機能Ｆｅｏを設けることができる。
【発明の効果】
【００１１】
このような構成を有する本発明に係る入札情報サービスシステム１によれば、次のような顕著な効果を奏する。
【００１２】
（１）  一次データ収集機能部Ｆｔにより、一次データＤａ，Ｄｂ…を自動及び／又は手動でダウンロードし、記憶部２にデータベースＤＢとして保存するとともに、二次データ生成機能部Ｆｋにより、一次データＤａ，Ｄｂ…に基づく二次データＫ…を生成し、記憶部２にデータベースＤＢとして保存するとともに、検索処理機能部Ｆｓにより、クライアントコンピュータＣ１，Ｃ２…に対して所定の検索条件が入力されたなら、システムサーバＭＳにより当該検索条件に合致した一次データＤａ，Ｄｂ…及び／又は二次データＫ…をデータベースＤＢから読み出すようにしたため、様々な一般入札情報を早く，広く，詳細に収集できることに加え、これに基づく一般入札情報自身の付加価値をより高めることができる。
【００１３】
（２）  検索処理機能部Ｆｓにより、クライアントコンピュータＣ１，Ｃ２…に対して所定の検索条件が入力されたなら、システムサーバＭＳにより当該検索条件に合致した一次データＤａ，Ｄｂ…及び／又は二次データＫ…をデータベースＤＢから読み出し、出力処理機能部Ｆｅにより、読み出した一次データＤａ，Ｄｂ…及び／又は二次データＫ…を、クライアントコンピュータＣ１，Ｃ２…のディスプレイＣｄ１，Ｃｄ２…に表示するとともに、クライアントコンピュータＣ１，Ｃ２…から出力可能にしたため、サービス利用者に対して希望する情報を的確に提供することができる。
【００１４】
（３）  好適な態様により、一次データＤａ…に、入札が予定されている入札予定情報に係わる入札予定データと、入札の結果となる入札結果情報に係わる入札結果データと、を含ませれば、入札予定者が、入札を行う前に必要な情報を得る目的の利用と、入札予定者以外の者が、誰がどのような条件で入札したかの入札結果（落札結果）を知る目的の利用の、双方の利用目的を一緒に実現することができる。
【００１５】
（４）  好適な態様により、二次データ生成機能部Ｆｋに、二次データＫ…として、一次データＤａ…における入札結果データから最終的な落札者を、予め既知となる対応する落札条件に基づいて予測した結果となる予測データＫｆ…を生成する予測データ生成機能Ｆｋｓを設ければ、例えば、入札予定者以外の者は、発注者が最終的な落札者を確定する前に、予測データＫｆ…から落札者を知ることができるため、資材の営業活動等に係わる必要な準備をより早く開始することができる。
【００１６】
（５）  好適な態様により、検索処理機能部Ｆｓに、予めサービス利用者により設定した一又は二以上の検索条件を登録する検索条件登録機能Ｆｓｍを設ければ、「発注者」，「工事名」，「工事場所」，「入札契約方式」，「公告日」，「予定価格範囲」等の検索条件を予め登録することができるため、サービス利用者は、入札予定等に係わる検索時に、自身が希望する入札予定等を容易かつ迅速に検索することができる。
【００１７】
（６）  好適な態様により、検索処理機能部Ｆｓに、一つの検索項目に対して複数条件を設定可能な複数選択機能Ｆｓｘを設ければ、「発注者」，「工事名」，「工事場所」，「入札契約方式」，「公告日」，「予定価格範囲」等の複数の検索項目における一つの検索項目に対して複数条件を設定できるため、サービス利用者にとって、検索時における利便性及び検索容易性をより高めることができる。
【００１８】
（７）  好適な態様により、検索処理機能部Ｆｓに、少なくとも、入力又は選択したフリーワードを包含する一次データＤａ…及び／又は二次データＫ…を読み出すフリーワード検索機能Ｆｓｋを設ければ、フリーワードに対応する検索を行うことができるため、サービス利用者にとっての検索の的確性をより高めることができる。
【００１９】
（８）  好適な態様により、フリーワード検索機能Ｆｓｋに、少なくとも、ＰＤＦにより作成されたファイルの内容も検索対象とするＰＤＦ内検索機能Ｆｓｋｐを設ければ、ＰＤＦにより公開させる場合の多い「設計書」等に記載される資材等も容易かつ確実に検索できるため、資材等の営業活動に有効に利用できる。
【００２０】
（９）  好適な態様により、フリーワード検索機能Ｆｓｋに、フリーワードにより検索した検索結果に対してフリーキーワードに関連付けて広告表示を行う広告表示機能Ｆｓｋｉを設ければ、特に、「設計書」等に掲載されている資材等に関連させて資材の広告を行うことができるため、広告を効果的に行うことができるとともに、資材調達の利便性にも寄与できる。
【００２１】
（１０）  好適な態様により、出力処理機能部Ｆｅに、一次データＤａ…及び／又は二次データＫ…をＣＳＶフォーマットにより保存する保存処理機能Ｆｅｏを設ければ、リスト形式のデータ等であっても汎用的なフォーマットにより保存できるため、サービス利用者のデータ保存における利便性を高めることができる。
【図面の簡単な説明】
【００２２】
【図１】本発明の好適実施形態に係る入札情報サービスシステムにおける全体のシステム構成図、
【図２】同入札情報サービスシステムをサービス利用者が利用する利用方法の一例を説明するためのフローチャート、
【図３】同入札情報サービスシステムをサービス利用者が利用する利用方法の他の一例を説明するためのフローチャート、
【図４】同入札情報サービスシステムをサービス利用者が利用するディスプレイに表示される最新入札予定情報表示を含む入札情報表示画面の一部を示す画面図、
【図５】同入札情報サービスシステムをサービス利用者が利用するディスプレイに表示される他の入札情報表示画面の一部を示す画面図、
【図６】同入札情報サービスシステムをサービス利用者が利用するディスプレイに表示される最新入札結果情報表示を含む入札情報表示画面の一部を示す画面図、
【図７】同入札情報サービスシステムをサービス利用者が利用するディスプレイに表示される他の入札情報表示画面の一部を示す画面図、
【図８】同入札情報サービスシステムをサービス利用者が利用する際の検索処理機能部の機能を説明するためのフローチャート、
【図９】同入札情報サービスシステムをサービス利用者が利用するディスプレイに表示される検索画面図、
【図１０】同入札情報サービスシステムをサービス利用者が利用するディスプレイに表示される検索結果に基づくファイル（設計書）の内容を示す画面図、
【図１１】同入札情報サービスシステムをサービス利用者が利用する際の検索処理機能部の他の機能を説明するためのフローチャート、
【発明を実施するための形態】
【００２３】
次に、本発明に係る好適実施形態を挙げ、図面に基づき詳細に説明する。
【００２４】
まず、本実施形態に係る入札情報サービスシステム１の構成について、図１を参照して説明する。
【００２５】
図１中、Ｎはインターネットであり、このインターネットＮには発注者の情報配信サーバＭａ，Ｍｂ，Ｍｃ…がそれぞれ接続されている。この場合、発注者には、主に、公共事業の入札を行う国（省庁），都道府県，市町村をはじめ、各種公共機関が含まれる。情報配信サーバＭａ，Ｍｂ，Ｍｃ…は、コンピュータ機能を有し、一次データＤａ，Ｄｂ，Ｄｃ…となる入札に係わる一般入札情報等は、ＷＥＢサイトを通してインターネットＮ上に公開される。なお、情報配信サーバＭａ，Ｍｂ，Ｍｃ…には、汎用コンピュータである一般的なパソコン（パーソナルコンピュータ）を使用可能である。
【００２６】
一方、ＭＳは、本実施形態に係る入札情報サービスシステム１の中核をなすコンピュータ機能を有するシステムサーバでありインターネットＮに接続される。また、Ｃ１，Ｃ２，Ｃ３…は、サービス利用者のクライアントコンピュータであり、クライアントコンピュータＣ１，Ｃ２，Ｃ３…もそれぞれインターネットＮに接続される。この場合、システムサーバＭＳ及びクライアントコンピュータＣ１，Ｃ２，Ｃ３…には汎用コンピュータである一般的なパソコン（ノートパソコン等）を使用可能である。なお、Ｃｄ１，Ｃｄ２，Ｃｄ３…は、クライアントコンピュータＣ１，Ｃ２，Ｃ３…におけるディスプレイをそれぞれ示す。
【００２７】
図１には、システムサーバＭＳの構成をブロック系統により示す。１０はＣＰＵ等のハードウェアを含むシステムサーバ本体であり、ＲＯＭに格納された処理プログラム１１及びＲＡＭ等の内部メモリ１２が付属する。この場合、処理プログラム１１には、システムサーバＭＳを機能させるＯＳ（オペレーティングシステム）及び本実施形態に係る入札情報サービスシステムを実行するアプリケーションプログラムが含まれる。これにより、システムサーバＭＳでは、一次データ収集機能部Ｆｔ，二次データ生成機能部Ｆｋ（予測データ生成機能Ｆｋｓを含む），検索処理機能部Ｆｓ（検索条件登録機能Ｆｓｍ，複数選択機能Ｆｓｘ及びフリーワード検索機能Ｆｓｋ（ＰＤＦ内検索機能Ｆｓｋｐ及び広告表示機能Ｆｓｋｉを含む）を含む），出力処理機能部Ｆｅ（保存処理機能Ｆｅｏを含む）等を機能させる各種処理を実行することができる。この場合、検索処理機能部Ｆｓ（検索条件登録機能Ｆｓｍ，複数選択機能Ｆｓｘ及びフリーワード検索機能Ｆｓｋ（ＰＤＦ内検索機能Ｆｓｋｐ及び広告表示機能Ｆｓｋｉを含む）を含む），出力処理機能部Ｆｅ（保存処理機能Ｆｅｏを含む）は、クライアントコンピュータＣ１…からアクセスされた際にクライアントコンピュータＣ１…からの操作により処理が行われるとともに、一次データ収集機能部Ｆｔと二次データ生成機能部Ｆｋ（予測データ生成機能Ｆｋｓを含む）は、システムサーバＭＳのみで処理が実行される。
【００２８】
また、１３はシステムサーバ本体１０に接続したルータ等の通信部であり、システムサーバＭＳは、この通信部１３を介してインターネットＮに接続される。なお、１４はシステムサーバ本体１０に接続したキーボード及びマウスを含む入力部、１５はシステムサーバ本体１０に接続したディスプレイ、１６はシステムサーバ本体１０に接続したプリンタを示す。さらに、２はシステムサーバ本体１０に接続したハードディスク等の大容量の記憶部であり、各種データ及びデータベースＤＢを保存する機能を備える。
【００２９】
次に、本実施形態に係る入札情報サービスシステム１の機能及び使用方法について、図２〜図１１を参照して説明する。
【００３０】
最初に、システムサーバＭＳのみで処理が実行される一次データ収集機能部Ｆｔと二次データ生成機能部Ｆｋ（予測データ生成機能Ｆｋｓを含む）の機能について説明する。まず、発注者の情報配信サーバＭａ，Ｍｂ，Ｍｃ…によりインターネットＮ上には入札に係わる情報（一般入札情報等）が一次データＤａ，Ｄｂ，Ｄｃ…として随時公開されるため、システムサーバＭＳでは一次データ収集機能部Ｆｔにより、一次データＤａ，Ｄｂ…を自動及び手動でダウンロードし、記憶部２にデータベースＤＢとして保存する。この場合、例えば、県機関の公共事業のように、予め設定した特定の発注者の情報配信サーバＭａ…に対しては、システムサーバＭＳにより予め設定した所定の時間間隔Ｔｘ毎にアクセスし、公開された全ての一次データＤａ…を自動でダウンロードするとともに、記憶部２にデータベースＤＢとして保存する。また、システムサーバＭＳの管理者は、予め設定した特定の発注者以外の他の発注者については、個別にアクセスし、内容を確認するなどにより個別に判断するとともに、手動によりダウンロードする。これにより、ダウンロードした一次データＤａ…は、記憶部２にデータベースＤＢとして保存する。
【００３１】
また、システムサーバＭＳは、二次データ生成機能部Ｆｋにより、収集した一次データＤａ，Ｄｂ，Ｄｃ…に基づく二次データＫ…を生成し、記憶部２にデータベースＤＢとして保存する。この場合、二次データＫ…とは、一次データＤａ，Ｄｂ，Ｄｃ…に基づいて得られるデータであって、一次データＤａ，Ｄｂ，Ｄｃ…以外の全てのデータが含まれる。したがって、クライアントコンピュータＣ１，Ｃ２…のディスプレイＣｄ１，Ｃｄ２…に対して一次データＤａ，Ｄｂ…及び二次データＫ…を所定の様式ＦＭにより表示する際における当該様式ＦＭによる表示も基本的な二次データＫ…となる。さらに、二次データ生成機能部Ｆｋには、特に、一次データＤａ…における入札結果データから、予め既知となる対応する落札条件に基づいて最終的な落札者を予測し、この予測した結果となる予測データＫｆ…を生成する予測データ生成機能Ｆｋｓが含まれる。したがって、予測データ生成機能Ｆｋｓにより生成される予測データＫｆ…が二次データＫ…となる。
【００３２】
次に、クライアントコンピュータＣ１…を用いたサービス利用者による基本的な使用方法について、図４〜図７を参照しつつ図２及び図３に示すフローチャートに従って説明する。
【００３３】
まず、入札予定者等のサービス利用者は、クライアントコンピュータＣ１（又はＣ２…）を用いてシステムサーバＭＳにアクセスする。クライアントコンピュータＣ１のディスプレイＣｄ１には最初にログイン画面が表示されるため、サービス利用者のＩＤコード及びパスワードを入力する（ステップＳ１）。これにより、ディスプレイＣｄ１には、入札情報画面Ｖ１、特に、最初は入札情報画面Ｖ１として、図４に示す最新入札予定情報Ｖ１ｓが表示される（ステップＳ２）。この際、最新入札予定情報Ｖ１ｓには、アクセス時点で有効な情報の「全」表示が行われるが、必要により「工事」表示２１又は「委託」表示２２を選択し、実行キー２３をクリックすることにより、表示する情報を絞り込むことができる（ステップＳ３，Ｓ４，Ｓ５）。
【００３４】
最新入札予定情報Ｖ１ｓには、図４に示すように、〇月〇日の入札予定に係わる情報（一般入札情報等）が入札予定リスト表示部２４により一覧表示される。この場合、入札予定リスト表示部２４には、項目として、「発注機関（発注者）」，「案件名」，「工事場所」，「工事概要」，「入札方式」，「点数等」，「地域要件」，「入札日」等が表示され、各項目の欄には、収集した一次データＤａ…から対応する事項が自動又は手動により入力される。したがって、入札予定者（サービス利用者）は、この入札予定リスト表示部２４を確認し、さらに詳細を確認したい入札案件がある場合には、その入札案件をクリックすれば、図５に示す詳細情報表示画面Ｖ１ｍにより詳細内容が表示される（ステップＳ６，Ｓ７）。この詳細情報表示画面Ｖ１ｍの項目としては、「発注機関（発注者）」，「案件名称」，「業務概要」，「契約番号」，「契約方式」，「入札方式」，「入札方法」，「施行区分」，「総合評価」，「業種」，「下請要件」，「特定建設許可業種」，「同種工事（委託）の実績」，「予定価格」，「調査基準価格」，「失格基準価格」，「資格総合点数」，「政府調達案件の有無」，「県工事（委託）の契約実績に関する要件」，「地域要件」，「発注者の長」，「公告日」，「質問書受付日時」，「入札書受付予定日時」，「開札予定日時」，「履行期間」，「備考」，「修正内容履歴」，「結果詳細」等の全部又は一部が表示される。
【００３５】
さらに、詳細情報表示画面Ｖ１ｍの下欄には、ファイル一覧表示部Ｖ１ｍｄにより、公開されている全てのファイル（文書名）とそのダウンロードキーが対で表示される。例示の場合、Ｎｏ．１に、「公告文」２５とダウンロードキー２５ｋが、Ｎｏ．２に、「設計書（ＰＤＦ）」２６とダウンロードキー２６ｋが、Ｎｏ．３に、「位置図」２７とダウンロードキー２７ｋが、Ｎｏ．４に、「特記仕様書」２８とダウンロードキー２８ｋが、Ｎｏ．５に、「平面図」２９とダウンロードキー２９ｋがそれぞれ表示される。したがって、ダウンロードキー２５ｋをクリックすれば、「公告文」２５をダウンロードし、クライアントコンピュータＣ１に、表示，印字，保存，転送等の処理を行うことができる（ステップＳ８）。「設計書（ＰＤＦ）」２６，「位置図」２７，「特記仕様書」２８及び「平面図」２９に対しても、各ダウンロードキー２６ｋ，２７ｋ，２８ｋ及び２９ｋを選択的にクリックすることにより、それぞれ同様にダウンロードし、クライアントコンピュータＣ１に、表示，印字，保存，転送等の処理を行うことができる（ステップＳ９，Ｓ１０，Ｓ１１，Ｓ１２）。また、最下段には、圧縮ファイルによる一括ダウンロードキー３０ｋが表示されるため、一括ダウンロードキー３０ｋをクリックすれば、全ファイルを一括ダウンロードすることができる（ステップＳ１３）。なお、リターンキーをクリックすることにより、直前の最新入札予定情報Ｖ１ｓを表示する入札情報画面Ｖ１に戻る（ステップＳ１４）。
【００３６】
一方、図４に示すように、入札情報画面Ｖ１の入札予定リスト表示部２４には、「公開情報」の項目を有し、この欄には、主要ファイルの表示キー（ダウンロードキー）、即ち、「公告文」に係わる公告文表示キー３１，「設計書」に係わる設計書表示キー３２，発注元のＵＲＬキー３３，の全部又は一部が表示される。これにより、公告文表示キー３１をクリックすれば、「公告文」の内容が表示され（ステップＳ１５）、設計書表示キー３２をクリックすれば、「設計書」の内容が表示され（ステップＳ１６）、ＵＲＬキー３３をクリックすれば、発注元のＷＥＢサイトが表示される（ステップＳ１７）。
【００３７】
さらに、入札情報画面Ｖ１の入札予定リスト表示部２４には、「ＣＳＶ出力」の項目を有し、各欄において、「ＣＳＶ出力」を選択（チェック）し、ＣＳＶ出力キー３４をクリックするこにより、全ファイルをＣＳＶフォーマットにより保存することができる。この機能が、一次データＤａ…（及び／又は二次データＫ…）をＣＳＶフォーマットにより保存する保存処理機能Ｆｅｏとなり、出力処理機能部Ｆｅの一部となる。出力処理機能部Ｆｅに、このような保存処理機能Ｆｅｏを設ければ、リスト形式のデータ等であっても汎用的なフォーマットにより保存できるため、サービス利用者のデータ保存における利便性を高めることができる。
【００３８】
他方、入札情報画面Ｖ１には、図４に示すように、入札予定タグ３５と入札結果タグ３６が表示される。したがって、入札結果タグ３６をクリックすれば、図６に示す最新入札結果情報Ｖ２ｓが表示される（ステップＳＡ，ＳＡｒ）。これにより、サービス利用者は、入札結果を見ることができる。この際、最新入札結果情報Ｖ２ｓには、アクセス時点で有効な情報の「全」表示が行われるが、必要により「工事」表示４１又は「委託」表示４２を選択し、実行キー４３をクリックすることにより、表示する情報を絞り込むことができる（ステップＳ２２，Ｓ２３）。このように、一次データＤａ…に、前述した入札が予定されている入札予定情報に係わる入札予定データと、入札の結果となる入札結果情報に係わる入札結果データと、を含ませれば、入札予定者が、入札を行う前に必要な情報を得る目的の利用と、入札予定者以外の者が、誰がどのような条件で入札したかの入札結果（落札結果）を知る目的の利用の、双方の利用目的を一緒に実現することができる。
【００３９】
また、最新入札結果情報Ｖ２ｓには、図６に示すように、〇月〇日の入札結果に係わる情報が入札結果リスト表示部４４により一覧表示される。この場合、入札結果リスト表示部４４には、項目として、「入札日」，「発注機関（発注者）」，「案件名」，「工事場所」，「落札者」，「落札額」，「落札率」，「予定価格」等が表示され、各項目の欄には、収集した一次データＤａ…から対応する事項が自動又は手動により入力される。この際、各欄の表示は、入札状況に応じて色分け表示される。即ち、入札を締め切った後、最終的な落札者が確定するまでの期間は「赤色」で表示され、落札者が確定した後は「橙色」で表示され、落札されなかった場合は「黒色」で表示される。
【００４０】
したがって、サービス利用者は、この入札結果リスト表示部４４を確認し、さらに入札経過を確認したい入札結果がある場合には、対応する欄に表示されている「入札経過」キー４５をクリックすれば、図７に示す入札経過表示画面Ｖ２ｍにより入札経過の詳細が表示される（ステップＳ２４，Ｓ２５）。この入札経過表示画面Ｖ２ｍの項目としては、「発注機関（発注者）」，「開札執行日時」，「案件名称」，「業務概要」，「契約番号」，「契約方式」，「入札方式」，「入札方法」，「施行区分」，「予定価格」，「調査基準価格」，「失格基準価格」，「業種」，「入札状況」，「落札者名」，「落札決定価格」，「落札率」，「入札書記載金額」，「５／１００相当額」，「立会人」，「予測失格基準価格」，「履行期間」，「備考」，「修正内容履歴」，「予定詳細（キー）」等の全部又は一部が表示される。
【００４１】
さらに、入札経過表示画面Ｖ１ｍの下欄には、業者一覧表示部Ｖ２ｍｅにより、入札した業者の「名称」が一覧表示されるとともに、項目として、「入札書記載金額（１回目，落札率，２回目）」，「見積書記載金額（１回目，２回目）」，「入札結果」，「評価点結果（価格点，価格以外，総合）」，「予測結果」，「予測評価点（価格点，価格以外，総合）」等の全部又は一部が表示される。例示は、九社が入札に参加し、Ｎｏ．３の業者が落札した場合を示している。
【００４２】
ところで、「入札経過」キー４５をクリックした際に、「赤色」で表示された入札結果をクリックした場合には、「予測結果」４７の欄に「落札」４７ｄに係わる表示が行われるとともに、「予測評価点」がある場合には、対応する価格点，価格以外，総合の予測評価点表示４７ｚが行われる。即ち、予測データ生成機能Ｆｋｓにより、一次データＤａ…における入札結果データから最終的な落札者を、予め既知となる対応する落札条件（発注者により公表済）に基づいて予測した結果となる予測データＫｆを生成し、この予測データＫｆに基づいて「落札」４７ｄ及び予測評価点表示４７ｚが行われる。したがって、この予測データＫｆが二次データＫとなる。なお、この場合、「入札結果」４８の欄は空欄となる。このように、二次データ生成機能部Ｆｋに、予測データ生成機能Ｆｋｓを設ければ、例えば、入札予定者以外の者が、発注者が最終的な落札者を確定する前に、予測データＫｆから落札者を知ることができるため、資材の営業活動等に係わる必要な準備をより早く開始することができる。なお、二次データＫとして、予測データＫｆを例示したが、二次データＫには、一次データＤａ…を加工した様々なデータが含まれる。
【００４３】
これに対して、「入札経過」キー４５をクリックした際に、「橙色」で表示された入札結果をクリックした場合には、「予測結果」４７の欄に「落札」４７ｄ（及び予測評価点表示４７ｚ）に係わる表示が行われるとともに、「入札結果」４８の欄に確定した「落札」４８ｄに係わる表示が行われる。したがって、図７の表示は、「橙色」表示された入札結果（「入札経過」キー４５）をクリックした場合を示している。その他、図６において、４６は、入札結果リスト表示部４４の各欄に表示される「公開情報」キーであり、この「公開情報」キー４６をクリックすれば、入札結果の詳細な公開情報が表示される。また、入札予定タグ３５をクリックすれば、図４に示す最新入札予定情報Ｖ１ｓが表示される（ステップＳＢ，ＳＢｒ）。これにより、サービス利用者は、前述した入札予定を見ることができる。
【００４４】
以上が、入札情報サービスシステム１における入札情報画面Ｖ１を用いた基本的な使用方法となるが、さらに、入札情報画面Ｖ１に基づく他の機能について、図８〜図１１を参照して説明する。
【００４５】
図８は、検索処理機能部Ｆｓに備えるフリーワード検索機能Ｆｓｋ，ＰＤＦ内検索機能Ｆｓｋｐ及び広告表示機能Ｆｓｋｉの処理手順を示すフローチャートである。今、クライアントコンピュータＣ１のディスプレイＣｄ１には、図４（又は図６）の入札情報画面Ｖ１が表示されているものとする（ステップＳ５１）。この入札情報画面Ｖ１において、サービス利用者が検索を行う場合には所定の検索キー（不図示）をクリックする（ステップＳ５２）。これにより、図９に示す検索画面Ｖｓが表示される（ステップＳ５３）。本実施形態に係る入札情報サービスシステム１では、検索処理機能部Ｆｓに、フリーワード検索機能Ｆｓｋを備えているため、フローワード入力部５１にフリーワード、例えば、「丸太」を入力し、実行キー５２をクリックする（ステップＳ５４，Ｓ５５）。なお、フリーワードは選択することも可能である。この場合、例えば、予め設定（入力）したフリーワードを、プルダウン方式によりフローワード入力部５１に表示し、この一覧から選択することができる。
【００４６】
これにより、フリーワード検索処理が実行され、特に、ＰＤＦ内検索機能Ｆｓｋｐにより、少なくとも、ＰＤＦにより作成されたファイルの内容も対象として検索される（ステップＳ５６）。この結果、入力（又は選択）したフリーワード（「丸太」）を包含する一次データＤａ…及び／又は二次データＫ…が読み出され、対応するファイルの検索リストが表示される（ステップＳ５７）。このように、検索処理機能部Ｆｓに、少なくとも、入力又は選択したフリーワードを包含する一次データＤａ…及び／又は二次データＫ…を読み出すフリーワード検索機能Ｆｓｋを設ければ、フリーワードに対応する検索を行うことができるため、サービス利用者にとっての検索の的確性をより高めることができる。また、フリーワード検索機能Ｆｓｋに、少なくとも、ＰＤＦにより作成されたファイルの内容も検索対象とするＰＤＦ内検索機能Ｆｓｋｐを設ければ、ＰＤＦにより公開させる場合の多い「設計書」等に記載される資材等も容易かつ確実に検索できるため、資材等の営業活動に有効に利用できる利点がある。
【００４７】
一方、フリーワードを包含する検索リストが表示されたなら、この検索リストから関心のあるファイル（文書名）をクリックすれば、その内容を表示させることができる（ステップＳ５８，Ｓ５９）。図１０は、ＰＤＦフォーマットの「設計書」５３を表示した画面Ｖｐを示している。通常、この種の「設計書」５３には、使用する具体的な資材の種類や数量等が記載されている。例示の場合、「丸太」をフリーワードとしたため、「設計書」５３の中には、「丸太」の表示５４も存在する。
【００４８】
したがって、広告表示機能Ｆｓｋｉにより、このフリーワード「丸太」に係わる資材の広告を、「丸太」の表示５４の近傍に表示するなど、「丸太」の表示５４に関連させて表示させることができる（ステップＳ６０）。図１０に、広告表示機能Ｆｓｋｉにより表示した広告表示５５を示す。このように、フリーワード検索機能Ｆｓｋに、フリーワードにより検索した検索結果に対してフリーキーワードに関連付けて広告表示５５を行う広告表示機能Ｆｓｋｉを設ければ、特に、「設計書」５３等に掲載されている資材等に関連させて資材の広告を行うことができるため、広告を効果的に行うことができるとともに、資材調達の利便性にも寄与できる利点がある。さらに、検索リストから関心のある他のファイルをクリックすれば、同様に、ファイルの内容を表示させることができる（ステップＳ６１，Ｓ６２）。そして、終了キーをクリックすれば、検索を終了させることができる（ステップＳ６３）。
【００４９】
他方、図１０は、検索処理機能部Ｆｓに備える複数選択機能Ｆｓｘ及び検索条件登録機能Ｆｓｍの処理手順を示すフローチャートである。今、クライアントコンピュータＣ１のディスプレイＣｄ１には、図４（又は図６）の入札情報画面Ｖ１が表示されているものとする（ステップＳ７１）。この入札情報画面Ｖ１において、サービス利用者が検索を行う場合には所定の検索キー（不図示）をクリックする（ステップＳ７２）。これにより、図９に示す検索画面Ｖｓが表示される（ステップＳ７３）。本実施形態に係る入札情報サービスシステム１では、検索処理機能部Ｆｓに複数選択機能Ｆｓｘを備えるため、一つの検索項目に対して複数条件を設定することができる。この場合、検索項目として、例えば、「発注者」，「工事名」，「工事場所」，「入札契約方式」，「公告日」，「予定価格範囲」等の全部又は一部が表示される。
【００５０】
検索条件を入力するに際し、最初に「発注者」の入力部５６におけるプルダウンキー５６ｋをクリックした場合を想定する。これにより、複数の発注者がプルダウン方式により一覧表示されるため、この中から発注者を選択する。通常、この際の選択は、一つの発注者となるが、本実施形態における複数選択機能Ｆｓｘを用いることにより、二つ以上の発注者を同時に選択することができる（ステップＳ７４）。このように、検索処理機能部Ｆｓに、一つの検索項目に対して複数条件を設定可能な複数選択機能Ｆｓｘを設ければ、「発注者」，「工事名」，「工事場所」，「入札契約方式」，「公告日」，「予定価格範囲」等の複数の検索項目における一つの検索項目に対して複数条件を設定できるため、サービス利用者にとって、検索時における利便性及び検索容易性をより高めることができる利点がある。以下、「工事名」，「工事場所」，「入札契約方式」，「公告日」，「予定価格範囲」等に対しても、複数選択機能Ｆｓｘを用いた検索条件の設定を同様に行えばよい（ステップＳ７５，Ｓ７６）。そして、全ての設定が終了したなら、実行キー５２をクリックする（ステップＳ７７）。これにより、設定した検索条件により検索処理が行われ、その検索結果が検索リストとして表示される（ステップＳ７８，Ｓ７９）。
【００５１】
ところで、この場合、設定した検索条件は、検索条件登録機能Ｆｓｍにより登録することもできる。即ち、複数選択機能Ｆｓｘを用いたステップＳ７６による検索条件の設定が終了したなら、実行キー５２をクリックすることなく、登録キー５８を用いてメモリ登録を行うことができる。この際、検索画面Ｖｓには、「メモリ１」５７ａ，「メモリ２」５７ｂ，「メモリ３」５７ｃのメモリ番号が表示されているため、所望のメモリ番号、例えば、「メモリ１」５７ａをクリックした後、登録キー５８をクリックすれば、設定した検索条件が「メモリ１」５７ａに登録される（ステップＳ８０，Ｓ８１，Ｓ８２）。このように、検索処理機能部Ｆｓに、予めサービス利用者により設定した一又は二以上の検索条件を登録する検索条件登録機能Ｆｓｍを設ければ、「発注者」，「工事名」，「工事場所」，「入札契約方式」，「公告日」，「予定価格範囲」等の検索条件を予め登録することができるため、サービス利用者は、入札予定等に係わる検索時に、自身が希望する入札予定等を容易かつ迅速に検索できる利点がある。一方、登録した検索条件を利用する場合には、検索画面Ｖｓが表示されている状態において、「メモリ１」５７ａをクリックした後、実行キー５２をクリックすればよい（ステップＳ８３，Ｓ７７）。これにより、登録した検索条件により検索処理が行われ、その検索結果が検索リストとして表示される（ステップＳ７８，Ｓ７９）。
【００５２】
よって、このような本実施形態に係る入札情報サービスシステム１によれば、一次データ収集機能部Ｆｔにより、一次データＤａ，Ｄｂ…を自動及び／又は手動でダウンロードし、記憶部２にデータベースＤＢとして保存するとともに、二次データ生成機能部Ｆｋにより、一次データＤａ，Ｄｂ…に基づく二次データＫ…を生成し、記憶部２にデータベースＤＢとして保存するとともに、検索処理機能部Ｆｓにより、クライアントコンピュータＣ１，Ｃ２…に対して所定の検索条件が入力されたなら、システムサーバＭＳにより当該検索条件に合致した一次データＤａ，Ｄｂ…及び／又は二次データＫ…をデータベースＤＢから読み出すようにしたため、様々な一般入札情報を早く，広く，詳細に収集できることに加え、これに基づく一般入札情報自身の付加価値をより高めることができる。また、検索処理機能部Ｆｓにより、クライアントコンピュータＣ１，Ｃ２…に対して所定の検索条件が入力されたなら、システムサーバＭＳにより当該検索条件に合致した一次データＤａ，Ｄｂ…及び／又は二次データＫ…をデータベースＤＢから読み出し、出力処理機能部Ｆｅにより、読み出した一次データＤａ，Ｄｂ…及び／又は二次データＫ…を、クライアントコンピュータＣ１，Ｃ２…のディスプレイＣｄ１，Ｃｄ２…に表示するとともに、クライアントコンピュータＣ１，Ｃ２…から出力可能にしたため、サービス利用者に対して希望する情報を的確に提供することができる。
【００５３】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【産業上の利用可能性】
【００５４】
この入札情報サービスシステムは、国，都道府県，市町村をはじめ、各種公共機関等が公共事業等を発注する際の各種入札情報をインターネットを介して提供する際のシステムとして利用できる。
【符号の説明】
【００５５】
１：入札情報サービスシステム，２：記憶部，Ｎ：インターネット，Ｍａ…：情報配信サーバ，ＭＳ：システムサーバ，Ｄａ…：一次データ，ＤＢ：データベース，Ｃ１…：クライアントコンピュータ，Ｃｄ１…：ディスプレイ，Ｋ…：二次データ，Ｋｆ…：予測データ，Ｆｔ：一次データ収集機能部，Ｆｋ：二次データ生成機能部，Ｆｓ：検索処理機能部，Ｆｅ：出力処理機能部，Ｆｋｓ：予測データ生成機能，Ｆｓｍ：検索条件登録機能，Ｆｓｘ：複数選択機能，Ｆｓｋ：フリーワード検索機能，Ｆｓｋｐ：ＰＤＦ内検索機能，Ｆｓｋｉ：広告表示機能，Ｆｅｏ：保存処理機能
【図１】
2013012030.tif 000003
【図２】
2013012030.tif 000004
【図３】
2013012030.tif 000005
【図４】
2013012030.tif 000006
【図５】
2013012030.tif 000007
【図６】
2013012030.tif 000008
【図７】
2013012030.tif 000009
【図８】
2013012030.tif 000010
【図９】
2013012030.tif 000011
【図１０】
2013012030.tif 000012
【図１１】
2013012030.tif 000013